(57)【特許請求の範囲】
【請求項１】
被照射面に照射され反射した光を互いに向き合った反射面で撮像素子に導く一対の光学部材と、
互いに離間して対向し前記一対の光学部材を長手方向における両側端部で前記反射面側を支持して保持する保持部材と、
前記一対の光学部材の長手方向の中央において前記反射面と直交する互いに向き合う一面を連結する接続部材と、を備えた、
ことを特徴とする画像読取装置。
【請求項２】
前記接続部材が、断面視くの字形状を有する板部材であり、前記一対の光学部材と接着部材を介して連結されている、
ことを特徴とする請求項１に記載の画像読取装置。
【請求項３】
被照射面に照射され反射した光を互いに向き合った反射面で撮像素子に導く一対の光学部材と、
互いに離間して対向し前記一対の光学部材を長手方向における両側端部で前記反射面側と前記反射面と直交する一面の一方を支持して保持する保持する保持部材と、
前記一対の光学部材の長手方向の中央において前記反射面と直交する互いに向き合う一面を押圧する臨界減衰係数が０．１ないし０．３である弾性体からなる押圧部材と、を備えた、
ことを特徴とする画像読取装置。
ここに、臨界減衰係数は、減衰係数をｃ、質量をＭ、剛性をＫとしたときに、ｃ／（２
＊（Ｍ＊Ｋ）１／２）で表される。
【請求項４】
断面視くの字形状を有する板部材を更に供え、前記押圧部材が、前記板部材を介して前記反射面と直交する互いに向き合う一面を押圧する、
ことを特徴とする請求項３に記載の画像読取装置。
【発明の詳細な説明】
【技術分野】
【０００１】
本発明は、画像読取装置に関する。
【背景技術】
【０００２】
原稿の画像を感光材料に露光するために原稿からの画像光の光路上に位置して画像光を反射する一対のミラーと、互いに離間して対向する一対の側壁を備えたフレームと、一対のミラーをフレームに保持するスプリングと、から成り、一対のミラーを一対の側壁間に掛け渡しかつ一対のミラーの反射面が所定の相対角度で対向する状態で保持するためのミラー保持構造であって、スプリングを略Ｖ字形に形成し、スプリングのＶ字の基端部をフレームに固定すると共に、スプリングの先端部によって、一対のミラーの各々の長手中間部付近における非反射面側を押圧して保持したミラー保持構造が知られている（特許文献１）。
【先行技術文献】
【特許文献】
【０００３】
【特許文献１】特開平８−７６２８３号公報
【発明の概要】
【発明が解決しようとする課題】
【０００４】
本発明は、ミラー保持部のスペースを増加させることなく、ミラーの振動を抑制することができる画像読取装置を提供することを目的とする。
【課題を解決するための手段】
【０００５】
前記課題を解決するために、請求項１に記載の画像読取装置は、
被照射面に照射され反射した光を互いに向き合った反射面で撮像素子に導く一対の光学部材と、
互いに離間して対向し前記一対の光学部材を長手方向における両側端部で前記反射面側を支持して保持する保持部材と、
前記一対の光学部材の長手方向の中央において前記反射面と直交する互いに向き合う一面を連結する接続部材と、を備えた、
ことを特徴とする。
【０００６】
請求項２記載の発明は、請求項１に記載の画像読取装置において、
前記接続部材が、断面視くの字形状を有する板部材であり、前記一対の光学部材と接着部材を介して連結されている、
ことを特徴とする。
【０００７】
前記課題を解決するために、請求項３に記載の画像読取装置は、
被照射面に照射され反射した光を互いに向き合った反射面で撮像素子に導く一対の光学部材と、
互いに離間して対向し前記一対の光学部材を長手方向における両側端部で前記反射面側と前記反射面と直交する一面の一方を支持して保持する保持する保持部材と、
前記一対の光学部材の長手方向の中央において前記反射面と直交する互いに向き合う一面を押圧する臨界減衰係数が０．１ないし０．３である弾性体からなる押圧部材と、を備えた、
ことを特徴とする。
ここに、臨界減衰係数は、減衰係数をｃ、質量をＭ、剛性をＫとしたときに、ｃ／（２
＊（Ｍ＊Ｋ）１／２）で表される。
【０００９】
請求項５記載の発明は、請求項３又は４に記載の画像読取装置において、
断面視くの字形状を有する板部材を更に供え、前記押圧部材が、前記板部材を介して前記反射面と直交する互いに向き合う一面を押圧する、
ことを特徴とする。
【発明の効果】
【００１０】
請求項１に記載の発明によれば、一対の光学部材の長手方向の中央部において反射面と直交する互いに向き合う一面を連結する接続部材を有しない場合に比して、ミラーの振動を抑制することができる。
請求項２に記載の発明によれば、ミラー保持部のスペースを増加させることなく、ミラーの振動を抑制することができる。
請求項３に記載の発明によれば、一対の光学部材の長手方向の中央部において反射面と直交する互いに向き合う一面を押圧する押圧部材を有しない場合に比して、一対の光学部材に伝達される振動を減衰させ、ミラーの振動を抑制することができる。
請求項４に記載の発明によれば、経年変化による押圧力の低下を抑制することができる。
【図面の簡単な説明】
【００１１】
【図１】画像読取装置１が適用された画像形成装置１００の内部構成を示す断面模式図である。
【図２】画像読取装置１の画像読取部２０の内部構造を示す断面模式図である。
【図３】画像読取装置１における第２のキャリッジ２４の外観を示す斜視図である。
【図４】画像読取装置１における第２のキャリッジ２４の主要な部材の配置を示す断面模式図である。
【図５】画像読取装置１Ａにおける第２のキャリッジ２４Ａの外観を示す斜視図である。
【図６】画像読取装置１Ａにおける第２のキャリッジ２４Ａの主要な部材の配置を示す断面模式図である。
【図７】画像読取装置１Ａにおける変形例に係る第２のキャリッジ２４Ｂの主要な部材の配置を示す断面模式図である。
【発明を実施するための形態】
【００１２】
次に図面を参照しながら、以下に実施形態を挙げ、本発明を更に詳細に説明するが、本発明はこれらの実施形態に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１３】
「第１実施形態」
（１）画像読取装置１及び画像形成装置１００の構成
図１は本実施形態に係る画像読取装置１が適用された画像形成装置１００の内部構成を示す断面模式図である。
以下、図面を参照しながら、画像形成装置１００及び画像読取装置１の全体構成及び動作を説明する。
【００１４】
（１，１）画像形成装置１００の全体構成と動作
画像形成装置１００は、原稿Ｓから画像を読み取る画像読取装置１と、読み取った画像を記録媒体としての用紙Ｐに印刷する画像形成部２とを備えて構成されている。
画像読取装置１は、画像形成部２を収容する本体部１００Ａとの間に印刷された用紙Ｐが排出される空間を形成するように、支持部３によって本体部１００Ａの上側に支持されている。
【００１５】
画像形成部２の底部には、多数の記録媒体としての用紙Ｐが積載された給紙装置１２０が設けられ、規制板（不図示）で幅方向位置が決められた用紙Ｐは、上側から１枚ずつ用紙引き出し部１２２により側方（−Ｘ方向）に引き出された後、レジストローラ対１２３のニップ部まで搬送される。
【００１６】
感光体ユニット１３０は、給紙装置１２０の上方（Ｚ方向）に、それぞれが並列して設けられ、回転駆動する像保持体としての感光体ドラム１３１を備えている。それぞれの感光体ドラム１３１上にはそれぞれの現像装置１４０によってイエロー（Ｙ）、マゼンタ（Ｍ）、シアン（Ｃ）、黒（Ｋ）のトナー像が形成される。
【００１７】
各感光体ユニット１３０の感光体ドラム１３１に形成された各色トナー像は、転写装置１５０の中間転写ベルト１５１上に順次静電転写（一次転写）され、各色トナーが重畳された重畳トナー像が形成される。中間転写ベルト１５１上の重畳トナー像は、レジストローラ対１２３から送り出され、搬送ガイドにより案内された用紙Ｐに中間転写ベルト１５１上に一括転写される。
【００１８】
転写装置１５０においてトナー像が一括転写された用紙Ｐは、トナー像が未定着の状態で搬送ガイドを経由して定着装置１６０に搬送され、一対の定着ローラ１６１と加圧ローラ１６２により、圧着と加熱の作用でトナー像が定着される。
定着トナー像が形成された用紙Ｐは、画像形成部２上面へ排出される。
【００１９】
（１．２）画像読取装置１の全体構成及び動作
画像読取装置１は、自動原稿送り部１０と、画像読取部２０とを備えて構成されている。自動原稿送り部１０は、原稿載置台１１に置かれた原稿Ｓを読取位置に搬送し、読み取り後の原稿Ｓを原稿排紙部１２に排出する。
【００２０】
画像読取部２０には、筐体２１の上面に原稿Ｓが載置されるプラテンガラス２２が配置され、筐体２１の内部に、副走査方向（左右方向：Ｘ方向）に往復移動可能に設けられた第１のキャリッジ２３及び第２のキャリッジ２４と、副走査方向の折り返し位置の下方に設けられた結像レンズＬ１及びＣＣＤ（Charge Coupled Device）ラインセンサ等のイメージセンサ２９等が配置されて構成されている。
【００２１】
原稿Ｓがプラテンガラス２２上に載置された場合には、第１のキャリッジ２３及び第２のキャリッジ２４を副走査方向に順次移動させながら１ラインごとに画像情報を読み取ることにより、原稿Ｓからの反射光をイメージセンサ２９に導いて原稿Ｓ全体の画像を読み取る。
【００２２】
（２）画像読取装置１の構成
図２は画像読取装置１の画像読取部２０の内部構造を示す断面模式図である。
【００２３】
筐体２１の上部にはプラテンガラス２２が取り付けられ、このプラテンガラス２２の上に原稿Ｓが載置されるようになっている。また、筐体２１上には、原稿押さえ用のプラテンカバー２２ａが開閉可能に取り付けられている。
【００２４】
プラテンガラス２２の下方には、光源Ｈと第１ミラーＭ１によって構成された第１の光学系を保持する第１のキャリッジ２３が配置されている。
第１のキャリッジ２３は、光源Ｈ及び第１ミラーＭ１とともに第１のレール（不図示）に案内されて副走査方向（Ｘ方向）に１走査ラインずつ移動し、原稿Ｓからの反射光を第２の光学系へ出射する。
【００２５】
第１のキャリッジ２３の近傍には、一対の光学部材の一例としての第２ミラーＭ２、第３ミラーＭ３によって構成された第２の光学系を保持する第２のキャリッジ２４が配置されている。第２ミラーＭ２、第３ミラーＭ３は互いに直角をなすように配置されている。また、第２ミラーＭ２は、第１ミラーＭ１と平行に配置されている。
【００２６】
第２のキャリッジ２４は、第１のキャリッジ２３に連動し、第２のレール（不図示）に案内されながら副走査方向に沿って往復移動可能に構成され、第１ミラーＭ１によって副走査方向（Ｘ方向）に反射された光を第２ミラーＭ２で垂直方向（Ｚ方向）に反射させ、その反射光を第３ミラーＭ３で再び水平方向（Ｘ方向）に反射させる。
【００２７】
さらに、第３ミラーＭ３による光の反射方向には結像レンズＬ１が配置され、この結像レンズＬ１による光学像の結像位置にイメージセンサ２９が配置されている。
【００２８】
このように構成される画像読取部２０においては、第１のキャリッジ２３及び第２のキャリッジ２４は、原稿画像の読取位置からイメージセンサ２９までの光路長が一定となるように図示しない駆動機構によって駆動され、第２のキャリッジ２４は第１のキャリッジ２３の移動速度Ｖに対し半分の移動速度Ｖ／２で同方向に移動する。ここで、図２は、第１のキャリッジ２３が副走査方向における折り返し位置に移動したときの第１のキャリッジ２３及び第２のキャリッジ２４を二点鎖線で示している。
【００２９】
（２．２）第２のキャリッジ２４の構成
図３は画像読取装置１における第２のキャリッジ２４の外観を示す斜視図、図４は画像読取装置１における第２のキャリッジ２４の主要な部材の配置を示す断面模式図である。
以下、図面を参照しながら第２のキャリッジ２４の構成について説明する。
【００３０】
図３に示すように、第２のキャリッジ２４は、互いに９０度の角度をなして対向する第２ミラーＭ２、第３ミラーＭ３と、キャリッジフレーム２５と、第２ミラーＭ２、第３ミラーＭ３をそれぞれ保持する保持部材の一例としてのホルダ部２６と、第２ミラーＭ２、第３ミラーＭ３の長手方向（移動方向と直交する方向）の中央部で第２ミラーＭ２、第３ミラーＭ３を連結する接続部材２７を備えている。
【００３１】
キャリッジフレーム２５は、例えば鋼材、アルミニウム等の金属板を板金加工することにより形成される。キャリッジフレーム２５は、主走査方向（移動方向と直交する方向：Ｙ方向）を長手方向とする略板状の長尺部材であり、その中央には、主走査方向に沿って長い略四角形の開口２５ａが形成され、第２ミラーＭ２で折り返された反射光が第３ミラーＭ３に向けて通過する。
【００３２】
キャリッジフレーム２５の両側部には、第２ミラーＭ２、第３ミラーＭ３の各端部を支持してキャリッジフレーム２５に固定するためのホルダ部２６が形成されている。
【００３３】
ホルダ部２６は、図４に示すように、第２ミラーＭ２及び第３ミラーＭ３の各一端部を反射面Ｍ２ａ、Ｍ３ａ側から支持する受け部２６ａがそれぞれ形成されている。
第２ミラーＭ２、第３ミラーＭ３は、バネ部材ＳＲを介してホルダ部２６の受け部２６ａに圧接されることにより、ホルダ部２６に固定される。
【００３４】
第２ミラーＭ２、第３ミラーＭ３は、各両端部がホルダ部２６に固定された状態で、長手方向（移動方向と直交する方向：Ｙ方向）の中央部で反射面Ｍ２ａ、Ｍ３ａと直交し、それぞれ相対する側面Ｍ２ｂ、Ｍ３ｂが接続部材２７で保持されている。
接続部材２７は、断面視略くの字形状で、例えば鋼材、アルミニウム等の剛性の高い金属板を折り曲げ加工することにより形成される。
【００３５】
接続部材２７は、第２ミラーＭ２、第３ミラーＭ３の反射面Ｍ２ａ、Ｍ３ａと直交し、それぞれ相対する側面Ｍ２ｂ、Ｍ３ｂと接着剤（ＡＤ）又は両面テープ（ＴＰ）を介して固定されている。
その結果、隣接する第２ミラーＭ２、第３ミラーＭ３は、長手方向の中央部において断面視略くの字形状の接続部材２７で互いに連結されて一体化され、第２のキャリッジ２４が高速で移動した場合にも、第２ミラーＭ２、第３ミラーＭ３の撓み及び振動を抑制することができる。
また、接続部材２７は、第２ミラーＭ２、第３ミラーＭ３の反射面Ｍ２ａ、Ｍ３ａと直交する側面Ｍ２ｂ、Ｍ３ｂを固定しているために、反射面Ｍ２ａ、Ｍ３ａが撓むことがなく、読取画像の倍率変化も抑制される。
【００３６】
図４に示すように、接続部材２７は、第２ミラーＭ２、第３ミラーＭ３の反射面Ｍ２ａ、Ｍ３ａと直交し、それぞれ相対する側面Ｍ２ｂ、Ｍ３ｂと接着剤（ＡＤ）又は両面テープ（ＴＰ）を介して固定されているために、第２のキャリッジ２４が初期位置（ホームポジション）に位置した状態で、筐体２１の内面２１ａ側への突出が少なく、画像読取装置１内部のスペースの増加を抑制することができる。
【００３７】
「第２実施形態」
図５は画像読取装置１Ａにおける第２のキャリッジ２４Ａの外観を示す斜視図、図６は画像読取装置１Ａにおける第２のキャリッジ２４Ａの主要な部材の配置を示す断面模式図、図７は画像読取装置１Ａにおける変形例に係る第２のキャリッジ２４Ｂの主要な部材の配置を示す断面模式図である。
【００３８】
図５に示すように、画像読取装置１Ａにおける第２のキャリッジ２４Ａは、互いに９０度の角度をなして対向する第２ミラーＭ２、第３ミラーＭ３と、枠体としてのキャリッジフレーム２５と、第２ミラーＭ２、第３ミラーＭ３をそれぞれ保持する保持部材としてのホルダ部２６と、第２ミラーＭ２、第３ミラーＭ３の長手方向（移動方向と直交する方向：Ｙ方向）の中央部で第２ミラーＭ２、第３ミラーＭ３を押圧する押圧部材の一例としての弾性部材２７Ａを備えている。
【００３９】
本実施形態においては、第２ミラーＭ２、第３ミラーＭ３が、長手方向（移動方向と直交する方向：Ｙ方向）の中央部で弾性部材２７Ａを介して支持されている点で、第１実施形態に係る画像読取装置１と異なっている。従って、第１実施形態の画像読取装置１と共通の構成要素には同一の符号を付し、詳細な説明は省略する。
【００４０】
キャリッジフレーム２５の両側部には、第２ミラーＭ２、第３ミラーＭ３の各端部を支持してキャリッジフレーム２５に固定するためのホルダ部２６が形成されている。
【００４１】
ホルダ部２６は、図６に示すように、第２ミラーＭ２及び第３ミラーＭ３の各両端部を反射面Ｍ２ａ、Ｍ３ａ側から支持する受け部２６ａと、反射面Ｍ２ａ、Ｍ３ａと交差する側面Ｍ２ｂ、Ｍ３ｂの一面を支持する受け部２６ｂが形成されている。
また、それぞれのホルダ部２６は、その中央部で連結部２６ｃで一体として連結されている。
【００４２】
第２ミラーＭ２、第３ミラーＭ３は、各両端部がホルダ部２６に保持された状態で長手方向（移動方向と直交する方向：Ｙ方向）の中央部で反射面Ｍ２ａ、Ｍ３ａと直交し、それぞれ相対する側面Ｍ２ｂ、Ｍ３ｂが弾性部材２７Ａを挟み込んだ状態で保持されている。その結果、反射面Ｍ２ａ、Ｍ３ａと交差する側面Ｍ２ｂ、Ｍ３ｂの一面がホルダ部２６のる受け部２６ｂに押し当てられた状態で、バネ部材ＳＲを介してホルダ部２６の受け部２６ａに圧接されて固定されている。
【００４３】
弾性部材２７Ａとしては、キャリッジフレーム２５からホルダ部２６を介して伝達される振動を低減する制振作用を有するものであれば、特に限定されないが、減衰比Ａが０．１から０．３程度の天然ゴムやシリコンゴム、発泡性ポリウレタンが好適である。ここに、減衰比Ａは、Ａ＝ｃ／（２＊（Ｍ＊Ｋ）１／２）（ｃは減衰係数、Ｍは質量、Ｋは剛性）で表される。
【００４４】
各両端部がホルダ部２６に保持された状態で長手方向（移動方向と直交する方向：Ｙ方向）の中央部で反射面Ｍ２ａ、Ｍ３ａと直交し、それぞれ相対する側面Ｍ２ｂ、Ｍ３ｂに挟み込んで配置された制振材料である弾性部材２７Ａに対して、第２ミラーＭ２、第３ミラーＭ３が弾性部材２７Ａの拘束層として作用して、ホルダ部２６から伝達される振動を減衰させることができる。
そのために、第２のキャリッジ２４Ａが高速で移動した場合にも、第２ミラーＭ２、第３ミラーＭ３の撓み及び振動を抑制することができる。
また、弾性部材２７Ａは、第２ミラーＭ２、第３ミラーＭ３の反射面Ｍ２ａ、Ｍ３ａと直交する側面Ｍ２ｂ、Ｍ３ｂを押圧しているために、反射面Ｍ２ａ、Ｍ３ａが撓むことがなく、読取画像の倍率変化も抑制される。
【００４５】
（変形例）
図７に示すように、弾性部材２７Ｂは、断面視略くの字形状で、例えば鋼材、アルミニウム等の金属板を折り曲げ加工することにより形成された板部材の一例としての板バネ部材２８を介して配置されても良い。
第２ミラーＭ２、第３ミラーＭ３のそれぞれ相対する側面Ｍ２ｂ、Ｍ３ｂが板バネ部材２８を介して弾性部材２７Ｂを挟み込んだ状態で保持されているために、経年変化による弾性部材２７Ｂによる押圧力の低下を抑制することができる。
【００４６】
以上、本発明の実施形態として、具体例を挙げて説明したが、本発明の技術的範囲は前記実施形態に限定されるものではなく、本発明の趣旨を逸脱しない範囲において種々の変更を加えることが可能である。
例えば、往復移動可能に設けられたキャリッジに保持された一対のミラーの相対するそれぞれの側面が接続部材で保持された画像読取装置及び押圧部材で押圧された画像読取装置を一例に説明したが、感光体ドラムに潜像を形成する露光装置に設けられる一対のミラーに対しても接続部材又は押圧部材を取り付けて、ミラーの振動を抑制することができる。
【符号の説明】
【００４７】
１、１Ａ・・・画像読取装置
１０・・・自動原稿送り部
２０・・・画像読取部
２１・・・筐体
２２・・・プラテンガラス
２３・・・第１のキャリッジ
２４、２４Ａ・・・第２のキャリッジ
２５・・・キャリッジフレーム
２６・・・ホルダ部
２７・・・接続部材
２７Ａ、２７Ｂ・・・弾性部材
２８・・・板バネ部材
Ｍ１・・・第１ミラー
Ｍ２・・・第２ミラー
Ｍ３・・・第３ミラー
Ｌ１・・・レンズ
Ｈ・・・光源
ＳＲ・・・バネ部材
【図１】
0006458382.tif 000002
【図２】
0006458382.tif 000003
【図３】
0006458382.tif 000004
【図４】
0006458382.tif 000005
【図５】
0006458382.tif 000006
【図６】
0006458382.tif 000007
【図７】
0006458382.tif 000008